(57)【特許請求の範囲】
【請求項１】
畳床に張付けられる畳表の一端を挟持棒と円筒枠とで挟持する挟持手段と、前記挟持棒を回転するための挟持棒と一体に設けられたハンドルと、前記畳表を挟持するときと畳表の挟持を解除するときに円筒枠の回転を阻止し、挟持後に畳表の一端を引張るときの円筒枠の回転を可能にする正逆転規制手段と、前記畳表を挟持するときと畳表の挟持を解除するときに挟持棒と円筒枠の連結を解除し、挟持された畳表の一端を引張るときに挟持棒と円筒枠とを連結するクラッチ手段とを具備し、前記挟持手段は、円筒枠内の中心に、挟持棒の偏心軸部を回動自在に軸架し、前記円筒枠の長手方向に畳表差込口を開口し、前記円筒枠の内壁と前記挟持棒の外壁間の隙間で畳表を挟持するものからなり、前記正逆転規制手段は、円筒枠の端部に一体に設けた第１の歯車と、この第１の歯車の回転方向を規制する第１のラチェットとからなり、前記クラッチ手段は、円筒枠の端部に一体に設けた第２の歯車と、この第２の歯車をハンドルに係脱する第２のラチェットとからなることを特徴とする畳表の張付け装置。
【請求項２】
正逆転規制手段の第１の歯車とクラッチ手段の第２の歯車とを別体に構成してなることを特徴とする請求項１記載の畳表の張付け装置。
【請求項３】
正逆転規制手段の第１の歯車とクラッチ手段の第２の歯車とを同一物で構成してなることを特徴とする請求項１記載の畳表の張付け装置。
【請求項４】
挟持棒は、中心部の直径を両端部の直径よりやや太くし、太鼓胴のような中心が少し膨らんだ円柱形とし、畳表を挟持したときの挟持棒のしなりと円筒枠の膨らみを考慮し、畳表の挟持個所全体に均等に力がかかるようにしてなる特徴とする請求項１記載の畳表の張付け装置。
【請求項５】
クラッチ手段は、第２のラチェットが軸の周りのばねによって常時第２の歯車に噛み合ってクラッチが入るように付勢され、この第２のラチェットと一体の切換えレバーがハンドルのグリップ側に伸びて設けられ、この切換えレバーをハンドルとともに握ると、第２の歯車と第２のラチェットとの噛み合いが外れるように構成したことを特徴とする請求項１記載の畳表の張付け装置。
【請求項６】
正逆転規制手段の第１のラチェットは、一方向に倒すと第１の歯車の一方向の回転を規制し、他方向に倒すと第１の歯車の他方向の回転を規制するように構成したことを特徴とする請求項１記載の畳表の張付け装置。
【発明の詳細な説明】
【０００１】
【発明の属する技術分野】
本発明は、畳床に畳表を張付けるための改良した畳表の張付け装置に関するものである。
【０００２】
【従来の技術】
畳床に畳表を張付ける場合は、畳床の角と畳表の目が一直線に揃うように、又、畳表がたるんだりよれたりすることなく充分な張力を持つように、畳表を強い力で引っ張りつつ固定しなければならない。又、固定するまでは充分な張力を持続しなければならない。
従来、このような畳表の張付けは、熟練工が手作業により行っていた。
又、この張付け作業を専用の機械によって行う方法も採られていた。しかし、張付け用の機械は複雑な構造を有し、大型で重量があり、かつ高額なものであった。又、このような機械は操作が複雑であるものが多かった。
【０００３】
【発明が解決しようとする課題】
手作業による畳表の張付けには、畳表の目を畳床の角と合せつつ、充分な張力を持たせるため、かなり強く引っ張る力が必要であり、又、畳表を引っ張りつつ固定するため、一人でこれを行うには、強い力と長年の熟練による特殊な技術が必要である。
従って、張付けを手作業で行う場合は、素人には困難であるという問題があった。
一方、専用の機械によって作業を行う場合は、上述した機械の特徴により、設置場所や購入費用面での負担が大きくなるだけでなく、作業現場まで運搬することが不可能か、極めて困難であるという問題もあった。
又、機械の操作が複雑であるため、充分に操作できるまでに操作方法を覚えたり他人に教えたりするのに時間と手間がかかるという問題もあった。
【０００４】
本発明の第１の目的は、強い力や特殊な技術を有しない素人が一人で作業することの可能な畳表の張付け装置を提供することである。
本発明の第２の目的は、コンパクトで軽量な構造を有し、操作が簡単で、かつ低価格な畳表の張付け装置を提供することである。
【０００５】
【課題を解決するための手段】
本発明は、畳床１０に張付けられる畳表１１の一端を挟持棒１８と円筒枠２０とで挟持する挟持手段２１と、前記挟持棒１８を回転するための挟持棒１８と一体に設けられたハンドル３０と、前記畳表１１を挟持するときと畳表１１の挟持を解除するときに円筒枠２０の回転を阻止し、挟持後に畳表１１の一端を引張るときの円筒枠２０の回転を可能にする正逆転規制手段２７と、前記畳表１１を挟持するときと畳表１１の挟持を解除するときに挟持棒１８と円筒枠２０の連結を解除し、挟持された畳表１１の一端を引張るときに挟持棒１８と円筒枠２０とを連結するクラッチ手段３１とを具備してなることを特徴とする畳表の張付け装置である。
【０００６】
挟持手段２１は、円筒枠２０内の中心に、挟持棒１８の偏心軸部１９を回動自在に軸架し、前記円筒枠２０の長手方向に畳表差込口２２を開口し、前記円筒枠２０の内壁と前記挟持棒１８の外壁間の隙間で畳表１１を挟持するものからなり、正逆転規制手段２７は、円筒枠２０の端部に一体に設けた第１の歯車２５と、この第１の歯車２５の回転方向を規制する第１のラチェット２６とからなり、クラッチ手段３１は、円筒枠２０の端部に一体に設けた第２の歯車２８と、この第２の歯車２８をハンドル３０に係脱する第２のラチェット２９とからなる。
【０００７】
【実施例】
本発明の実施例を図１〜図５に基づき説明する。
本発明による装置は、図２及び図３に示すように、作業台１２の一端部に取付けられている。
前記作業台１２は、図３に示すように、４本の脚柱１４,１４の上部に天板１３を設置して構成されている。
前記天板１３は、畳表の張付けや畳縁の取り付け作業時等に畳床１０を載せるためのものであって、長方形で、長手、短手方向の長さはそれぞれ畳床１０よりもやや長い程度とする。そして、天板１３の一方の短手の端部には載台１５がヒンジ１６によって取り付けられ、このヒンジ１６を軸として端部に高さ５〜１０ｃｍ程度の載台１５を垂直に屹立できるようになっている。
前記天板１３の他方の短手の端部には、畳床１０が天板１３から滑り落ちるのを防止するために、端部から１ｃｍ程度垂直に立ち上がらせたストッパ１７を設ける。又、この短ストッパ１７に沿って平行となるように、本発明による装置を取付ける。
【０００８】
前記脚柱１４、１４は、天板１３を支えるためのものであって、天板１３の底辺に４本取付ける。形状は、天板１３を支えるのに十分な太さの角柱形で、高さは７０ｃｍ〜９０ｃｍ程度、すなわち、天板１３に取付けたときに、人が立上がった状態で、天板１３上で無理なく作業できる程度の高さとする。
【０００９】
前記作業台１２に取付ける装置は、作業台１２の一方の短手の両側部に、軸受けを兼ねた略Ｌ字形の一方の取付け枠３９と、同様に軸受けを兼ねた他方の取付け枠４０によって取付けられる。これらの取付け枠３９、４０によって、畳表１１を挟持するための挟持手段２１と、この挟持手段２１の回転を制御するための正逆転規制手段２７と、ハンドル３０と、クラッチ手段３１とが取付けられている。
【００１０】
前記挟持手段２１は、円筒枠２０と、その内側の挟持棒１８とからなる。この挟持棒１８の両端部には、偏心軸部１９を有しており、これらの偏心軸部１９は、円筒枠２０の両端の軸受部２３、２４にて円筒枠２０の中心と一致して軸架されている。
【００１１】
前記円筒枠２０は、畳表１１の一端部を挟み込んで回転させることによって畳表１１を挟持し保持するためのもので、円筒形をなし、直径が５ｃｍ程度、長さが前記畳表１１の短手方向よりやや長い程度とし、長手方向に約１．５ｃｍ幅の畳表差込口２２を形成し、この畳表差込口２２に畳表１１の端部が差込まれる。
【００１２】
前記挟持棒１８は、畳表１１を畳表差込口２２から差込んで、円筒枠２０の内壁との間で畳表１１の挟持状態を保持するためのものである。この挟持棒１８は、直径が３ｃｍ程度の円柱形とするが、中心部の直径を両端部の直径より１〜２ｍｍ程度太くし、太鼓胴のような中心が少し膨らんだ円柱形とする。これは、畳表１１を挟持したときの挟持棒１８のしなりや円筒枠２０の膨らみを考慮し、畳表１１の挟持個所全体に均等に力がかかるようにするためである。
【００１３】
前記偏心軸部１９は、前記挟持棒１８を回転させるためのものであって、図４（ｂ）に示すように、前記挟持棒１８の中心から数ｍｍ程度外れた位置に形成されることにより、円筒枠２０の内壁と挟持棒１８の外壁の隙間が最も狭いところで、畳表１１の厚さより充分狭く、広いところで畳表１１の厚さの数倍とする。一方の偏心軸部１９の長さは、正逆転規制手段２７と、クラッチ手段３１を取付ける程度とする。
【００１４】
前記正逆転規制手段２７は、挟持手段２１の円筒枠２０の回転方向を規制するためのもので、前記一方側の軸受部２３と一体の第１の歯車２５と、前記一方の取付け枠３９に軸３２により設けられた第１のラチェット２６からなる。
【００１５】
前記第１の歯車２５は、前記挟持手段２１の円筒枠２０の回転方向を規制するためのもので、図４（ｂ）に示すように、この第１の歯車２５の上方に位置して前記一方の取付け枠３９に軸３２により二股の第１のラチェット２６が設けられ、第１のラチェット２６を図４（ｂ）のように図中左側に倒すことにより、第１の歯車２５が左回転は可能であるが、右回転が阻止され、また、第１のラチェット２６を図中右側に倒すことにより、第１の歯車２５が右回転は可能であるが、左回転が阻止される。
【００１６】
前記ハンドル３０は、前記挟持棒１８を回転させるためのものであって、このハンドル３０の軸受部３６に、挟持棒１８の一方の偏心軸部１９が嵌合されて固着されている。
このハンドル３０のグリップは、片手で握ることができる程度の太さを有し、長さは後述するクラッチ手段３１よりも充分長くする。
又、このハンドル３０のほぼ中央には、クラッチ手段３１が取付けられている。
【００１７】
このクラッチ手段３１は、前記挟持棒１８と円筒枠２０とを連結して一体に回転させるか、又は、挟持棒１８と円筒枠２０とを分離して別体に回転させるかを制御するためのものであって、第２の歯車２８、第２のラチェット２９、軸３３及び切換えレバー３８からなる。
【００１８】
前記第２の歯車２８は、前記第１の歯車２５と一体に固着され、また、第２のラチェット２９は、図４（ａ）に示すように、ハンドル３０の略中央の軸３３に、Ｌ字形の第２のラチェット２９が設けられ、このラチェット２９と一体の切換えレバー３８がハンドル３０のグリップ側に伸びて設けられている。
前記第２のラチェット２９は、軸３３の周りのばね３７によって常時第２の歯車２８に噛み合ってクラッチが入るように付勢されている。
【００１９】
つぎに、本発明による装置の作用を説明する。
（１）畳床１０と畳表１１の準備工程
畳床１０を作業台１２に載せる。この畳床１０の短手の一端には、予め畳表１１が取付けられている。
ここで図３に示すように、作業台１２の一端部にある載台１５を天板１３の上に起こし、畳床１０における畳表１１がまだ取付けられていない方の端部を前記載台１５の反対側にあるストッパ１７に当てる。すると、畳床１０と天板１３との間に隙間が生じるので、畳床１０を上から押して長手方向中央で下向きにやや湾曲させた状態とする。
【００２０】
（２）畳表１１の差込み工程
図１（ａ）に示すように、円筒枠２０の内壁と挟持棒１８の外壁との間の隙間を広げて、畳表１１の先端部を挟持手段２１の畳表差込口２２から差込む。
すなわち、ハンドル３０の切換えレバー３８を握って第２のラチェット２９と、第２の歯車２８の歯面との噛み合いを外したままハンドル３０を奥方向に押して偏心軸部１９と一体の挟持棒１８を奥方向（図１（ａ）の矢印方向）に回転させる。すると、円筒枠２０の畳表差込口２２からみて、円筒枠２０の内壁と挟持棒１８の外壁における手前側の隙間が広くなるので、この広くなったところに畳表差込口２２から畳表１１の一端部を挿入する。
このとき、第１のラチェット２６の第１の歯車２５との噛み合わせ位置は、手前側と奥側のどちらでも良い。
【００２１】
（３）畳表１１を挟持する工程
図１（ｂ）に示すように、挟持棒１８のみを手前方向に回して、畳表１１の端部を円筒枠２０と挟持棒１８の間で挟みつける。
すなわち、第１のラチェット２６を軸３２を中心として手前に倒し、第１の歯車２５の歯面に噛み合わせて円筒枠２０の回転を阻止し、切換えレバー３８を握って第２のラチェット２９を第２の歯車２８の歯面から外したままハンドル３０により挟持棒１８を手前方向に回す。すると、畳表１１の端部が円筒枠２０と挟持棒１８の間で挟みつけられる。このとき、挟持棒１８の中心がやや太いので、畳表１１の中心部分がやや強く挟持される。畳表１１を挟持したときの挟持棒１８のしなりと円筒枠２０の膨らみが生じたとしても、畳表１１全体が確実に挟持される。
【００２２】
（４）畳表１１の引っ張り工程
図１（ｃ）に示すように、ハンドル３０にて、円筒枠２０と挟持棒１８を一体に奥方向へ回し、畳表１１を引き込んで畳床１０に強く張付ける。
すなわち、切換えレバー３８の握りから手を離すと、ばね３７により第２のラチェット２９が第２の歯車２８に噛み合う。また、第１のラチェット２６を奥方向へ倒して第１の歯車２５に噛み合わせる。この状態で、ハンドル３０を奥方向へ回すと、円筒枠２０と挟持棒１８が一体に奥方向へ回る。すると、畳表１１が挟持棒１８と円筒枠２０に挟持されたまま、かつ、畳表差込口２２の縁にて折り返し保持されて、畳床１０の上縁部角で垂直方向に引き込まれ、畳床１０に対して強く張付けられることとなる。このとき、もし、畳床１０の上縁部角と畳表１１の目が不揃いのときは、畳表１１を引き込みながら揃えることが望ましい。また、畳表１１が畳床１０の上縁部角を滑りながら引き込まれると、上縁部角がつぶれる恐れがあるので、滑り易い厚紙やプラスチックなどの断面Ｌ字形の補助材を介在するようにしても良い。
【００２３】
（５）畳表１１の仮止め工程
図１（ｄ）に示すように、畳表１１を強く引っ張ったままの状態で、畳表１１の上から畳床１０の側辺に、５本〜７本程度の仮止め針４１、…を差込み、畳表１１を畳床１０に仮固定する。
すなわち、第１のラチェット２６を前方に倒してあるので、第１のラチェット２６が第１の歯車２５に噛み合わせられることにより奥方向へ回転するが、円筒枠２０が手前方向に回転して戻るのを阻止され、畳表１１が強く引っ張られたままで維持される。そしてこの状態で、畳表１１の上から畳床１０の短手の側辺に、５本〜７本程度の仮止め針４１、…を差込み、畳表１１と畳床１０を仮固定する。
【００２４】
（６）畳表１１の引張力の解除工程
図１（ｅ）に示すように、挟持棒１８と円筒枠２０を同時に元に戻し、畳表１１の張りを解放する。
すなわち、仮止め針４１、…により畳床１０と畳表１１の仮固定状態を保ったまま、第１のラチェット２６を手前に倒して第１の歯車２５を外す。このとき、第２のラチェット２９は、噛み合わせたままとする。この状態で、ハンドル３０を手前に引いて、挟持棒１８と円筒枠２０を、回転していた分だけ同時に元に戻し、畳表１１の引張力を解放する。
【００２５】
（７）畳表１１の抜き取り工程
図１（ｆ）に示すように、挟持棒１８だけを前方へ回して、挟持されていた畳表１１を解放し、畳表１１を円筒枠２０から抜き取る。
すなわち、切換えレバー３８を握って第２のラチェット２９を第２の歯車２８から外し、切換えレバー３８を握りながらハンドル３０を奥方向に倒すことによって挟持棒１８を奥方向へ回す。第１のラチェット２６により第１の歯車２５が奥方向へ回るのを阻止されているので、挟持棒１８だけが回って円筒枠２０の内壁の隙間が広がり、挟持されていた畳表１１の端部が解放されるので、この畳表１１の端部を畳表差込口２２から抜き取る。
【００２６】
（８）畳表１１の本固定の工程
畳表１１を仮固定した畳床１０を作業台１２の上で裏返す。このとき、載台１５を元に戻すことで、畳床１０が平坦になり、畳表１１は、よりしっかりと畳床１０に張り付いた状態となる。畳表１１の端の部分を畳床１０の裏側へ折返して、タッカー針や畳糸によって畳表１１を畳床１０に本固着する。この本固着後、仮固定していた複数の仮止め針４１、…をすべて引き抜く。
【００２７】
上記実施例では、ストッパ１７は、常に立上がった状態としたが、本発明はこれに限られるものではなく、ストッパ１７は、図５に示すように、底辺にヒンジ４２等を取付けることにより折り畳み自在にしてもよい。このように構成することにより、ストッパ１７を折り畳んだときに天板１３上を平坦にして他の作業に支障をきたすことの無いようにすることができる。
【００２８】
図２に示す実施例では、第１の歯車２５と第２の歯車２８の２個の歯車を使用し、第１の歯車２５の筒部３４と第２の歯車２８の筒部３５を嵌め合わせて固定するようにしたが、本発明はこれに限られるものではなく、図６に示すように、第１のラチェット２６の噛合位置と第２のラチェット２９の噛合位置を同一円の他の位置に設定することにより、使用する歯車を１個にすることができる。
【００２９】
本発明における作業台をすべてアルミニウム等の軽量な金属で作成すれば、作業現場への運搬その他の取りまわしが容易な装置を提供することができる。
【００３０】
上記実施例では、作業台１２を、１枚の天板１３に４本の脚柱１４、…を固定的に取り付けた例としたが、本発明はこれに限られるものではなく、天板１３を長手方向の中央部で切断した２枚の板から形成し、また、脚柱１４も天板１３の長手方向の側部に長孔を有するアームをピン等で軸支し、脚柱１４にもアームをピンで軸支し、脚柱側のアームのピンを長孔に摺動自在に嵌合する構造等にすることによって、作業台１２の天板１３を中央から２つに折り畳むとともに、脚柱１４も折り畳めるように作成してもよい。このように作成すれば、狭いスペースにも収納可能で、かつ、運搬も容易な装置を提供できる。
【００３１】
【発明の効果】
請求項１記載の発明によれば、畳床１０に張付けられる畳表１１の一端を挟持棒１８と円筒枠２０とで挟持する挟持手段２１と、前記挟持棒１８を回転するための挟持棒１８と一体に設けられたハンドル３０と、前記畳表１１を挟持するときと畳表１１の挟持を解除するときに円筒枠２０の回転を阻止し、挟持後に畳表１１の一端を引張るときの円筒枠２０の回転を可能にする正逆転規制手段２７と、前記畳表１１を挟持するときと畳表１１の挟持を解除するときに挟持棒１８と円筒枠２０の連結を解除し、挟持された畳表１１の一端を引張るときに挟持棒１８と円筒枠２０とを連結するクラッチ手段３１とを具備したので、畳表の張付け作業を手作業で行う場合に必要とされていた畳表の均一な引張力や、引張りを手で支えながら仮止め針等を打つなどの特殊な技術が不要となり、素人でも、又、一人でも作業を行うことができる。
【００３２】
また、請求項１記載の発明によれば、挟持手段２１は、円筒枠２０内の中心に、挟持棒１８の偏心軸部１９を回動自在に軸架し、前記円筒枠２０の長手方向に畳表差込口２２を開口し、前記円筒枠２０の内壁と前記挟持棒１８の外壁間の隙間で畳表１１を挟持するものからなり、正逆転規制手段２７は、円筒枠２０の端部に一体に設けた第１の歯車２５と、この第１の歯車２５の回転方向を規制する第１のラチェット２６とからなり、クラッチ手段３１は、円筒枠２０の端部に一体に設けた第２の歯車２８と、この第２の歯車２８をハンドル３０に係脱する第２のラチェット２９とで構成したので、モータ、ポンプ等の動力を用いずに、単純な部品を用いて比較的単純な構成できる。従って、作成費用を低く抑えられるので、低価格の装置を提供できる。又、構造が単純であるから、操作方法も簡単で覚えやすい。
【００３３】
請求項２又は３記載の発明によれば、正逆転規制手段２７の第１の歯車２５とクラッチ手段３１の第２の歯車２８とを別体に又は同一物で構成したので、構造をさらに簡単にできる。
【００３４】
請求項４記載の発明によれば、挟持棒１８は、中心部の直径を両端部の直径よりやや太くし、太鼓胴のような中心が少し膨らんだ円柱形としたので、畳表１１を挟持したときの挟持棒１８のしなりと円筒枠２０の膨らみが生じたとしても、畳表１１の挟持個所全体に均等に力がかかり、畳の目を畳床１０の角に確実に一致させることができる。
【００３５】
請求項５記載の発明によれば、クラッチ手段３１は、第２のラチェット２９が軸３３の周りのばね３７によって常時第２の歯車２８に噛み合ってクラッチが入るように付勢され、この第２のラチェット２９と一体の切換えレバー３８がハンドル３０のグリップ側に伸びて設けられ、この切換えレバー３８をハンドル３０とともに握ると、第２の歯車２８と第２のラチェット２９との噛み合いが外れるように構成したので、クラッチ手段３１の係脱操作が、切換えレバー３８をハンドル３０と一緒に握るか握らないかだけでできる。
【００３６】
請求項６記載の発明によれば、正逆転規制手段２７の第１のラチェット２６は、一方向に倒すと第１の歯車２５の一方向の回転を規制し、他方向に倒すと第１の歯車２５の他方向の回転を規制するように構成したので、第１のラチェット２６の操作が極めて簡単である。
【図面の簡単な説明】
【図１】本発明による畳表の張付け装置による畳表の張付け作業を示すもので、（ａ）は、畳表１１の差込み工程の説明図、（ｂ）は、畳表１１を挟持する工程の説明図、（ｃ）は、畳表１１の引っ張り工程の説明図、（ｄ）は、畳表１１の仮止め工程の説明図、（ｅ）は、畳表１１の引張力の解除工程の説明図、（ｆ）は、畳表１１の抜き取り工程の説明図である。。
【図２】本発明による畳表の張付け装置の一実施例を示す図３におけるＡ−Ａ線断面図である。
【図３】本発明による畳表の張付け装置の一実施例を示す側面図である。
【図４】本発明による畳表の張付け装置の一部を示したもので、（ａ）は、ハンドル３０とクラッチ手段３１を示す側面図、（ｂ）は、一方の取付け枠３９に取付けた状態の正逆転規制手段２７を示す側面図である。
【図５】本発明による畳表の張付け装置のストッパ１７の他の実施例を示す側面図である。
【図６】本発明による畳表の張付け装置の第１の歯車２５と第２の歯車２８を同一物としたときの実施例を示す側面図である。
【符号の説明】
１０…畳床、１１…畳表、１２…作業台、１３…天板、１４…脚柱、１５…載台、１６…ヒンジ、１７…ストッパ、１８…挟持棒、１９…偏心軸部、２０…円筒枠、２１…挟持手段、２２…畳表差込口、２３…一方端の軸受部、２４…他方端の軸受部、２５…第１の歯車、２６…第１のラチェット、２７…正逆転規制手段、２８…第２の歯車、２９…第２のラチェット、３０…ハンドル、３１…クラッチ手段、３２…軸、３３…軸、３４…筒部、３５…筒部、３６…軸受部、３７…ばね、３８…切換えレバー、３９…一方の取付け枠、４０…他方の取付け枠、４１…仮止め針、４２…ヒンジ。
【図１】
0004452855.tif 000002
【図２】
0004452855.tif 000003
【図３】
0004452855.tif 000004
【図４】
0004452855.tif 000005
【図５】
0004452855.tif 000006
【図６】
0004452855.tif 000007